(57)【要約】      （修正有）【課題】シール材が排水配管内または排水流路内にはみ出してしまうことによる排水不良を抑制する配管接続部材を提供する。【解決手段】建物躯体に設けられている排水配管１０と、小便器の排水トラップ流路８と、水密に接続する配管接続部材であって、排水配管１０の入口部１０ａとトラップ流出口１６との間で押し潰される円環状のシール材２２と、シール材２２の内周に配置されるガイド部材２４と、を備え、ガイド部材２４は、トラップ流出口１６側に向かって径が広がっている。【選択図】図３
2017101393.tif 000002
【特許請求の範囲】
【請求項１】
建物躯体に設けられている排水配管と、衛生設備機器の排水流路と、を水密に接続する配管接続部材であって、
前記排水配管の入口部と前記排水流路の前記出口部との間で押し潰される、円環状のシール材と、
前記シール材の内周に配置される円筒状の筒部材と、を備え、
前記筒部材は、前記出口部側に向かって径が広がっている配管接続部材。
【請求項２】
前記筒部材は、前記入口部側の略同一径の同径部と、該同径部から前記出口部側に向かって径が広がる拡径部と、を有し、
前記拡径部の前記出口部側の端部が前記シール材の前記出口部側の端部よりも上流側に延びる長さを有すると共に、前記拡径部の前記出口部側の端部の径が前記シール材の内周の径よりも大きい請求項１に記載の配管接続部材。
【請求項３】
前記筒部材の外周と前記シール材の内周との間には隙間が形成されている請求項１または請求項２に記載の配管接続部材。
【請求項４】
前記シール材は、粘性ガスケットである請求項１乃至請求項３のいずれか１項に記載の配管接続部材。
【請求項５】
前記筒部材は、弾性部材により形成される請求項１乃至請求項４のいずれか１項に記載の配管接続部材。
【発明の詳細な説明】
【技術分野】
【０００１】
本発明は、建物躯体に設けられている排水配管と、衛生設備機器の排水流路と、を接続する配管接続部材に関する。
【背景技術】
【０００２】
従来から、下水等へ連通接続される排便管と、便器の排便通路の流出口と、を接続する配管接続部材として、排便管の入口部と便器の排便通路の流出口との間に、シール材が設けられていることが知られている（例えば、特許文献１）。
特許文献１においては、排便管の入口部にフランジ部が設けられ、フランジ部と排便通路の流出口との間にシール材が設けられている。
【先行技術文献】
【特許文献】
【０００３】
【特許文献１】特開平８−１５８４５２号公報
【発明の概要】
【発明が解決しようとする課題】
【０００４】
しかしながら、上述した特許文献１において、排便通路の流出口をシール材に圧着させることにより、排便管の入口部と便器の排便通路の流出口との間の水密を保持している。そのため、例えば、便器からの押し付けが不十分である場合や、シール材の設置位置が適切でない場合などにおいて、排便通路または排便管内にシール材がはみ出してしまい、排便通路または排便管内で排水不良が生じてしまうという懸念がある。
【０００５】
そこで、本発明は、上記課題を解決するためになされたものであり、シール材が排水配管内または排水流路内にはみ出してしまうことによる排水不良を抑制する配管接続部材の提供を目的としている。
【課題を解決するための手段】
【０００６】
本発明の一態様に係る配管接続部材は、建物躯体に設けられている排水配管と、衛生設備機器の排水流路と、を水密に接続する配管接続部材であって、排水配管の入口部と排水流路の出口部との間で押し潰される、円環状のシール材と、シール材の内周に配置される円筒状の筒部材と、を備え、筒部材は、出口部側に向かって径が広がっている。
【０００７】
この構成によれば、出口部側に向かって径が広がっている筒部材がシール材の内周に設けられているので、排水配管内または排水流路内にシール材がはみ出してしまうことが抑制される。そのため、排水配管内または排水流路内にシール材がはみ出してしまうことによる排水不良を抑制することができる。
【０００８】
本発明の一態様に係る配管接続部材において、好ましくは、筒部材は、入口部側の略同一径の同径部と、同径部から出口部側に向かって径が広がる拡径部と、を有し、拡径部の出口部側の端部がシール材の出口部側の端部よりも上流側に延びる長さを有すると共に、拡径部の出口部側の端部の径は、シール材の内周の径よりも大きい。
【０００９】
この構成によれば、拡径部の出口部側の端部がシール材の出口部側の端部よりも上流側に延びる長さを有し、拡径部の出口部側の端部の径はシール材の内周の径よりも大きいので、シール材が筒部材の内側にはみ出てしまうことが抑制される。そのため、排水配管内または排水流路内にシール材がはみ出してしまうことによる排水不良をより抑制することができる。
【００１０】
本発明の一態様に係る配管接続部材において、好ましくは、筒部材の外周とシール材の内周との間には隙間が形成されている。
【００１１】
この構成によれば、筒部材の外周とシール材の内周との間には隙間が形成されているので、シール材を押し潰してシールするとき、変形したシール材が隙間に向かって広がり、排水配管内または排水流路内にシール材がはみ出してしまうことが抑制される。そのため、排水配管内または排水流路内にシール材がはみ出してしまうことによる排水不良をより抑制することができる。
【００１２】
本発明の一態様に係る配管接続部材において、好ましくは、シール材は粘性ガスケットである。
【００１３】
この構成によれば、シール材は粘性ガスケットであるので、より容易に衛生設備機器と排水配管とを接続することができる。そのため、排水流路の出口部をシール材に十分に押し付けることができ、排水配管内または排水流路内にシール材がはみ出してしまうことによる排水不良をより抑制することができる。
【００１４】
本発明の一態様に係る配管接続部材において、好ましくは、筒部材は、弾性部材により形成される。
【００１５】
この構成によれば、筒部材は弾性部材により形成されるので、衛生設備機器の出口部を押し付けることにより、出口部側の筒部材の端部は、シール材に向かう方向に広がるように変形する。そのため、筒部材と出口部との間から排水配管内または排水流路内にシール材がはみ出してしまうことによる排水不良をより抑制することができる。
【発明の効果】
【００１６】
本発明によれば、シール材が排水配管内または排水流路内にはみ出してしまうことによる排水不良を抑制することができる。
【図面の簡単な説明】
【００１７】
【図１】本発明の第一実施形態に係る小便器の正面図である。
【図２】図１のＡ−Ａ線に沿って見た側面断面図である。
【図３】本発明の第一実施形態に係る配管接続部材の接続構造を示す側面断面図である。
【図４】（ａ）小便器を接続していない状態の配管接続部材を示す側面断面図である。（ｂ）小便器を接続した状態の配管接続部材を示す側面断面図である。
【図５】本発明の他の実施形態に係る配管接続部材の接続構造を示す側面断面図である。
【発明を実施するための形態】
【００１８】
以下、本発明の実施の形態について添付図面を参照しながら説明する。なお、各図面中、同様の構成要素には同一の符号を付して詳細な説明は適宜省略する。
【００１９】
＜衛生設備機器の構成＞
まず、図１及び図２を参照して、本発明の第一実施形態に係る配管接続部材が適用される衛生設備機器について説明する。
【００２０】
図１は、本発明の第一実施形態に係る小便器の正面図である。図２は、図１のＡ−Ａ線に沿って見た側面断面図である。なお、本実施形態では、小便器２が衛生設備機器としての機能を果たす。
【００２１】
図１に示すように、小便器２は、床面Ｆに設置されており、小便器２の背面が壁面Ｗに沿うように設置されている（図２参照）。また、小便器２は、使用者から排泄された尿を受けるボウル部４と、ボウル部４の上方に設けられる吐水部６と、を有している。この吐水部６の上流側は図示しない給水源に接続されており、給水源からの洗浄水が吐水部６からボウル部４へ吐水される。
【００２２】
ここで、本実施形態では、小便器２が設けられる床面Ｆに沿う方向を水平方向、これと直交する方向を鉛直方向ということにする。
また、床面Ｆに対して小便器２が設けられる方向を上方向（上方）、これと反対側を下方向（下方）、壁面Ｗに対して小便器２が設けられる方向を前方向（前方）、これと反対側を後方向（後方）、上下方向及び前後方向と直交する方向のうち後方に向いて右側を右方向（右方）、左側を左方向（左方）、ということにする。
【００２３】
図２に示すように、ボウル部４の下方には排水トラップ流路８が設けられており、ボウル部４に排泄された尿及び吐水された洗浄水は、この排水トラップ流路８を通って後述する排水配管１０へ排出される。
なお、本実施形態においては、排水トラップ流路８が排水流路としての機能を果たす。
【００２４】
排水トラップ流路８の上方には、トラップ蓋１２が設けられており、このトラップ蓋１２によって排水トラップ流路８の上流端に開口したトラップ流入口１４が隠蔽されている。排水トラップ流路８の下流側には、トラップ流出口１６が開口している。トラップ流入口１４は上方に向かって開口し、トラップ流出口１６は下方に向かって開口している。トラップ流出口１６の水平方向の流路断面は、トラップ流入口１６の水平方向の流路断面よりも大きく形成されている。また、トラップ流出口１６を形成している外形部分には、後述するシール材２２を押し付ける圧着面１６ａが形成されている。
なお、本実施形態においては、トラップ流出口１６が排水トラップ流路８（排水流路）の出口部としての機能を果たす。
【００２５】
＜配管接続部材の接続構造＞
つぎに、図３を参照して、本発明の第一実施形態に係る配管接続部材の接続構造について説明する。
【００２６】
図３は、本発明の第一実施形態に係る配管接続部材の接続構造を示す側面断面図である。
【００２７】
図３に示すように、建物躯体には排水配管１０が設けられており、床面Ｆには、排水配管１０の上端である入口部１０ａが形成されている。排水配管１０の入口部１０ａは上方に向かって開口している。また、排水配管１０には、フランジ部材１８と、パッキン２０と、が設けられている。
【００２８】
フランジ部材１８は、鍔部１８ａと、開口部１８ｂと、円筒部１８ｃと、凸部１８ｄと、を有する。
鍔部１８ａは、その底面が床面Ｆに沿うように円盤状に形成されている。鍔部１８ａの中央には、排水配管１０と連通する開口部１８ｂが開口している。また、開口部１８ｂを形成している外縁部分から下方（排水配管１０側）に向かって、円筒状の円筒部１８ｃが延出している。円筒部１８ｃは、排水配管１０の管路内に挿入されている。さらに、鍔部１８ａの上面であって開口部１８ｂの周縁には、環状の凸部１８ｄが形成されている。
なお、本実施形態において、フランジ部材１８の開口部１８ｄは、排水配管１０の入口部１０ａとしての機能を有する。
【００２９】
パッキン２０は、フランジ部材１８と排水配管１０との水密を保持する円筒状のパッキンである。パッキン２０は、フランジ部材１８の円筒部１８ｃの外周面と排水配管１０の管路内面との間に設けられている。
【００３０】
排水配管１０の入口部１０ａと排水トラップ流路８のトラップ流出口１６との間には、両者の間で押し潰されて、排水配管１０及びフランジ部材１８と、トラップ流出口１６と、の水密を保持するシール材２２が設けられている。シール材２２は、円環状の粘性ガスケットであり、自己粘着性を有している。
シール材２２は、フランジ部材１８の鍔部１８ａの上面に載置されるように設けられ、上方側（トラップ流出口１６側）の面がトラップ流出口１６の圧着面１６ａに接するように設けられている。また、シール材２２は、フランジ部材１８の鍔部１８ａの外周縁との凸部１８ｄとの間を周回するように設けられている。
このシール材２２によって、排水配管１０の入口部１０ａおよび開口部１８ｂと、トラップ流出口１６と、の間の水密を保持している。
【００３１】
シール材２２の内周には、略円筒状のガイド部材２４が配置されている。ガイド部材２４は、弾性部材により形成され、同径部２４ａと、拡径部２４ｂと、を有している。
【００３２】
同径部２４ａは、排水配管１０の入口部１０ａ側（下方側）に設けられており、排水配管の入口部１０ａ側からトラップ流出口１６に向かって略同一径で形成されている。同径部２４ａは、鍔部１８ａの上面であって、シール材２２と、排水配管１０の入口部１０ａまたはフランジ部材１８の開口部１８ｂと、の間を周回するように設けられている。つまり、同径部２４ａの外周の径は、シール材２２の内周の径よりも小さく形成されている。
拡径部２４ｂは、トラップ流出口１６側に設けられており、同径部２４ａから連続して形成されている。拡径部２４ｂは、同径部２４ａ（排水配管１０側）からトラップ流出口１６側に向かって径が広がるように形成されている。
【００３３】
なお、本実施形態においては、ガイド部材２４が筒部材としての機能を果たす。また、本実施形態においては、シール材２２及びガイド部材２４が配管接続部材としての機能を果たす。
【００３４】
＜動作及び作用＞
つぎに、図４の（ａ）及び図４の（ｂ）を参照して、本発明の第一実施形態に係る小便器と排水配管の接続手順について説明する。
【００３５】
図４の（ａ）は、小便器を接続していない状態の配管接続部材を示す側面断面図である。図４の（ｂ）は、小便器を接続した状態の配管接続部材を示す側面断面図である。
【００３６】
図４の（ａ）に示すように、まず、円筒部１８ｃの外周面にパッキン２０を装着した状態で、フランジ部材１８の円筒部１８ｃを排水配管１０の入口部１０ａから排水配管１０内に挿入する。フランジ部材１８の鍔部１８ａの底面が床面Ｆに当接するまでフランジ部材１８の円筒部１８ｃを挿入させ、図示しない固定部材によってフランジ部材１８を床面Ｆに固定する。そして、フランジ部材１８の鍔部１８ａの上面に、シール材２２及びガイド部材２４を載置する。
【００３７】
ここで、小便器２を排水配管１０の入口部１０ａに接続していない状態において、拡径部２４ｂのトラップ流出口１６側の端部がシール材２２のトラップ流出口１６側の端部よりも上流側に延びる長さを有している。言い換えると、排水配管１０の入口部１０ａの開口面と直交する方向におけるシール材２２の幅よりも、排水配管１０の入口部１０ａの開口面と直交する方向におけるガイド部材２４の幅の方が大きい。また、拡径部２４ｂのトラップ流出口１６側の端部の径は、シール材２２の内周の径よりも大きい。
そのため、小便器２のトラップ流出口１６をシール材２２に押し付けるとき、シール材２２がトラップ流出口１６とガイド部材２４との間からはみ出してしまうことがより確実に抑制される。
【００３８】
また、小便器２を排水配管１０の入口部１０ａに接続していない状態であるとき、ガイド部材２４の外周とシール材２２との間には、隙間２６が形成されている。
【００３９】
つづいて、図４の（ｂ）に示すように、トラップ流出口１６の圧着面１６ａがシール材２２に当接するように、上方（小便器２側）から下方（排水配管１０の入口部１０ａ側）に向かって小便器２のトラップ流出口１６を押し付ける。トラップ流出口１６の圧着面１６ａをシール材２２に圧着させると、押し付けた力Ｐによって、シール材２２が押し潰されて広がるように変形する。このとき、シール材２２とガイド部材２４との間に形成されている隙間２６に向かってシール材２２が広がる。
【００４０】
なお、小便器２を排水配管１０の入口部１０ａに接続した状態、つまり、シール材が変形した状態においても、排水配管１０の入口部１０ａの開口面と直交する方向におけるシール材２２の幅よりも、排水配管１０の入口部１０ａの開口面と直交する方向におけるガイド部材２４の幅の方が大きい。また、拡径部２４ｂのトラップ流出口１６側の端部の径は、シール材２２の内周の径よりも大きい。
【００４１】
ここで、シール材２２の内周には、ガイド部材２４が設けられているので、シール材２２が変形した場合においても、排水配管１０内もしくは排水トラップ流路８内へシール材２２がはみ出してしまうことが抑制される。
【００４２】
また、小便器２をシール材２２に接続するとき、拡径部２４ｂのトラップ流出口１６側の端部の外縁は、排水トラップ流路８の管路内面に接しながら接続される。これにより、ガイド部材２４の拡径部２４ｂは、小便器２を接続していないときの状態よりも、シール材２２に向かう方向（ガイド部材２４の外周方向）にさらに広がるように変形する。そのため、ガイド部材２４と排水トラップ流路８との間が水密にシールされ、ガイド部材２４と排水トラップ流路８との間からシール材がはみ出してしまうことがより抑制される。
【００４３】
さらに、ガイド部材２４の同径部２４ａは、シール材２２と凸部１８ｄとの間に設けられているので、トラップ流出口１６をシール材２２に押し付けるとき、ガイド部材２４の設置位置がずれてしまうことを抑制することができる。
【００４４】
＜効果＞
上述した本発明の第一実施形態による配管接続部材によれば、トラップ流出口１６側に向けて径が広がっているガイド部材２４がシール材２２の内周に設けられているので、排水配管１０内または排水トラップ流路８内にシール材２２がはみ出してしまうことが抑制される。そのため、排水配管１０内または排水トラップ流路８内にシール材２２がはみ出してしまうことによる排水不良を抑制することができる。
【００４５】
また、上述した本発明の第一実施形態による配管接続部材によれば、拡径部２４ｂのトラップ流出口１６側の端部がシール材２２のトラップ流出口１６側の端部よりも上流側に延びる長さを有し、拡径部２４ｂのトラップ流出口１６側の端部の径はシール材２２の内周の径よりも大きいので、シール材２２がガイド部材２４の内側にはみ出てしまうことが抑制される。そのため、排水配管１０内または排水トラップ流路８内にシール材２２がはみ出してしまうことによる排水不良をより抑制することができる。
【００４６】
さらに、上述した本発明の第一実施形態による配管接続部材によれば、ガイド部材２４の外周とシール材２２の内周との間には隙間２６が形成されているので、シール材２２を押し潰してシールするとき、変形したシール材２２が隙間２６に向かって広がり、排水配管１０内または排水トラップ流路８内にシール材２２がはみ出してしまうことが抑制される。そのため、排水配管１０内または排水トラップ流路８内にシール材２２がはみ出してしまうことによる排水不良をより抑制することができる。
【００４７】
また、上述した本発明の第一実施形態による配管接続部材によれば、シール材２２は粘性ガスケットであるので、より容易に小便器２と排水配管１０とを接続することができる。そのため、排水トラップ流路８のトラップ流出口１６をシール材２２に十分に押し付けることができ、排水配管１０内または排水トラップ流路８内にシール材２２がはみ出してしまうことによる排水不良をより抑制することができる。
【００４８】
さらに、上述した本発明の第一実施形態による配管接続部材によれば、ガイド部材２４は弾性部材により形成されるので、小便器のトラップ流出口１６を押し付けることにより、トラップ流出口１６側のガイド部材２４の端部は、シール材２２に向かう方向に広がるように変形する。そのため、ガイド部材２４とトラップ流出口１６との間から排水配管１０内または排水トラップ流路８内にシール材２２がはみ出してしまうことによる排水不良をより抑制することができる。
【００４９】
＜他の実施形態＞
つぎに、図５を参照して本発明の他の実施形態に係る配管接続部材の接続構造について説明する。
【００５０】
図５は、本発明の他の実施形態に係る配管接続部材の接続構造を示す側面断面図である。
なお、図５において、上述した本発明の第一実施形態と同一の部分については同一の符号を付し、それらの説明は省略する。
【００５１】
図５に示すように、排水トラップ流路８の下流側には、トラップ流出口１６が開口している。トラップ流出口１６を形成している外形部分には、後述するシール材２２を押し付ける圧着面１６ｂが形成されている。
圧着面１６ｂは、その外周側から内周側に向かって、上方向（排水配管１０に対して小便器２に向かう方向）に傾斜している。つまり、トラップ流出口１６を形成している外形部分は、略テーパ状に形成されている。
【００５２】
小便器２を排水配管１０の入口部１０ａに接続していない状態において、拡径部２４ｂのトラップ流出口１６側の端部の径は、圧着面１６ｂの上方端における排水トラップ流路８の内径よりも大きく形成されている。そのため、小便器２を排水配管１０の入口部１０ａに接続するとき、シール材２２とガイド部材２４の拡径部２４ｂを圧着することができる。
【００５３】
シール材２２及びガイド部材２４の拡径部２４ｂに、トラップ流出口１６の圧着面１６ｂを上方（小便器２側）から下方（排水配管１０の入口部１０ａ側）に向かって圧着させると、シール材２２が押し潰されて広がるように変形する。それと同時に、ガイド部材２４の拡径部２４ｂがシール材２２に向かう方向（ガイド部材２４の外周方向）にさらに広がるように変形する。ここで、シール材２２の内周には、ガイド部材２４が設けられているので、シール材２２が押し潰されて変形しても、排水配管１０内もしくは排水トラップ流路８内へシール材２２がはみ出してしまうことが抑制される。
【００５４】
また、小便器２のトラップ流出口１６をシール材２２に同じ力で押し付けるという条件下において、圧着面が傾斜していない場合よりも、圧着面が傾斜している場合（圧着面１６ｂ）の方が、シール材２２と圧着面との接着面積が大きく形成される、つまり、シール面積がより大きく形成される。そのため、圧着面１６ｂが傾斜していることにより、排水配管１０の入口部１０ａおよび開口部１８ｂと、トラップ流出口１６と、の間の水密性をより向上させることができる。
【００５５】
＜変形例＞
以上、本発明の実施形態について説明したが、本発明は、上述した実施形態に限定されるものではない。
【００５６】
例えば、衛生設備機器は小便器である構成を説明したが、大便器であってもよい。
【００５７】
また、例えば、排水配管１０の入口部１０ａが床面Ｆに設けられている構成を説明したが、排水配管１０の入口部１０ａが壁面Ｗに設けられていてもよい。
【００５８】
また、例えば、排水配管１０の入口部１０ａにフランジ部材１８が設けられている構成を説明したが、フランジ部材１８が設けられていなくてもよい。
【００５９】
また、例えば、小便器２のトラップ流出口１６と排水配管１０の入口部１０ａとの間には、フランジ部材１８とは別に排水ソケットが設けられていてもよい。
また、フランジ部材１８を設けずに、排水ソケットのみが設けられていてもよい。この場合、排水ソケットの下流に設けられる排水口が、排水流路の出口部としての機能を果たす。
【００６０】
また、例えば、シール材２２は粘性ガスケットである構成を説明したが、排水トラップ流路８のトラップ流出口１６と排水配管１０の入口部１０ａとの間の水密を保持する機能を有するパッキンやゴム製のシール部材を用いてもよい。
【００６１】
また、例えば、ガイド部材２４は、弾性部材である構成を説明したが、塑性材料で形成される部材であってもよい。
【００６２】
また、例えば、ガイド部材２４は、フランジ部材１８と一体的に形成されていてもよい。また、ガイド部材２４をフランジ部材１８の鍔部１８ａに接着剤などによって接着して固定してもよい。さらに、小便器２のトラップ流出口１６と排水配管１０の入口部１０ａとの間に排水ソケットを設けて、その排水ソケットとガイド部材２４とが一体的に形成されていてもよい。
【００６３】
また、例えば、圧着面１６ａがシール材２２のみを下方に押し付ける構成を説明したが、圧着面１６ａがシール材２２及びガイド部材２４の２つを押し付けるように構成されていてもよい。
【００６４】
前述した各実施の形態が備える各要素は、技術的に可能な限りにおいて組み合わせることができ、これらを組み合わせたものも本発明の特徴を含む限り本発明の範囲に包含される。
【符号の説明】
【００６５】
２    小便器  （衛生設備機器）
４    ボウル部
６    吐水部
８    排水トラップ流路（排水流路）
１０    排水配管
１０ａ  入口部
１２    トラップ蓋
１４    トラップ流入口
１６    トラップ流出口（出口部）
１６ａ、１６ｂ  圧着面
１８    フランジ部材
１８ａ  鍔部
１８ｂ  開口部
１８ｃ  円筒部
１８ｄ  凸部
２０    パッキン
２２    シール材
２４    ガイド部材（筒部材）
２４ａ  同径部
２４ｂ  拡径部
２６    隙間
Ｆ      床面
Ｗ      壁面
【図１】
2017101393.tif 000003
【図２】
2017101393.tif 000004
【図３】
2017101393.tif 000005
【図４】
2017101393.tif 000006
【図５】
2017101393.tif 000007